(57)【要約】【課題】銀ペースト以外の素材でアンテナ素子層を形成したとしても実用上耐えうる強度を確保し、従来よりも製造コストを押さえたフィルムアンテナを提供する。【解決手段】このフィルムアンテナは、基材フィルムと、基材フィルムの一方の面に予め一体的に設けられ、アルミニウムから形成されたアンテナ素子層と、基材フィルムの他方の面に予め一体的に設けられた第一粘着層と、第一粘着層における基材フィルムとは反対側の面に積層され、当該第一粘着層に対して剥離自在な第一剥離フィルムと、アンテナ素子層における基材フィルムとは反対側の面に積層され、アンテナ素子層に対して剥離自在な第二粘着層と、第二粘着層におけるアンテナ素子層とは反対側の面に予め一体的に設けられ、アンテナ素子層に対して第二粘着層とともに剥離自在な第二剥離フィルムとを備えている。【選択図】図２
2010118889.tif 000002
【特許請求の範囲】
【請求項１】
基材フィルムと、
前記基材フィルムの一方の面に予め一体的に設けられ、アルミニウムから形成されたアンテナ素子層と、
前記基材フィルムの他方の面に予め一体的に設けられた第一粘着層と、
前記第一粘着層における前記基材フィルムとは反対側の面に積層され、当該第一粘着層に対して剥離自在な第一剥離フィルムと、
前記アンテナ素子層における前記基材フィルムとは反対側の面に積層され、前記アンテナ素子層に対して剥離自在な第二粘着層と、
前記第二粘着層における前記アンテナ素子層とは反対側の面に予め一体的に設けられ、前記アンテナ素子層に対して前記第二粘着層とともに剥離自在な第二剥離フィルムとを備えることを特徴とするフィルムアンテナ。
【請求項２】
請求項１記載のフィルムアンテナにおいて、
前記アンテナ素子層と前記第二粘着層との間にはカーボン層が介在していて、
前記第二粘着層は前記カーボン層に対して剥離自在であることを特徴とするフィルムアンテナ。
【請求項３】
請求項１又は２記載のフィルムアンテナの製造方法において、
前記基材フィルム、前記アンテナ素子層、前記第一粘着層及び前記第一粘着層における前記基材フィルムとは反対側の面に積層され、前記第一粘着層に対して剥離自在な剥離紙からなる複合シートと、前記第二剥離フィルム及び前記第二粘着層からなる粘着シートとを、前記第二粘着層と前記アンテナ素子層とが密着するように積層する第一積層工程と、
前記第一積層工程後に、前記剥離紙を前記第一粘着層から剥離する剥離工程と、
前記剥離工程後に、前記第一粘着層に対して前記第一剥離フィルムを積層する第二積層工程とを実行することを特徴とするフィルムアンテナの製造方法。
【請求項４】
請求項３記載のフィルムアンテナの製造方法において、
前記第一積層工程と前記剥離工程との間に、前記基材フィルム、前記アンテナ素子層、前記第一粘着層及び前記剥離紙を所定の形状にカットする第一カット工程を実行することを特徴とするフィルムアンテナの製造方法。
【請求項５】
請求項３又は４記載のフィルムアンテナの製造方法において、
前記第二積層工程の後に、前記第一剥離フィルム及び前記粘着シートを所定の形状にカットする第二カット工程を実行することを特徴とするフィルムアンテナの製造方法。
【発明の詳細な説明】
【技術分野】
【０００１】
本発明は、フィルムアンテナ及びその製造方法に関する。
【背景技術】
【０００２】
近年、例えば車載用アンテナとしてフィルムアンテナが知られている（例えば特許文献１参照）。図１０は、従来のフィルムアンテナの概略構成を示す断面図である。図１０に示すように従来のフィルムアンテナ１００は、貼り付け用粘着シート１０１と、絶縁レジスト層１０２と、アンテナ素子層１０３と、反射防止層１０４と、基材フィルム１０５と、粘着層１０６と、剥離用フィルム１０７とを備える。各フィルム１０１，１０５，１０７は例えばＰＥＴ等の樹脂から形成されている。基材フィルム１０５の一方の面には、粘着層１０６を介して剥離用フィルム１０７が積層されている。また、基材フィルム１０５の他方の面には、反射防止層１０４とアンテナ素子層１０３とが積層され、さらにこれらの層１０３，１０４を覆うように絶縁レジスト層１０２が積層されている。アンテナ素子層１０３、反射防止層１０４及び絶縁レジスト層１０２は印刷によって基材フィルム１０５上に形成されている。アンテナ素子層１０３は、銀ペーストにより形成されている。そして、絶縁レジスト層１０２におけるアンテナ素子層１０３とは反対の面には貼り付け用粘着シート１０１が貼付されている。
【特許文献１】特開２００６−００５９１６号公報
【発明の開示】
【発明が解決しようとする課題】
【０００３】
ここで、上述したフィルムアンテナ１００であると、アンテナ素子層１０３が銀ペーストにより形成されているために、どうしても製造コストがかかってしまっていた。銀ペーストよりも安価な素材を用いる場合、強度的にも実用に耐えうるフィルムアンテナを提供することは困難であった。
【０００４】
本発明の課題は、銀ペースト以外の素材でアンテナ素子層を形成したとしても実用上耐えうる強度を確保し、従来よりも製造コストを押さえたフィルムアンテナを提供することである。
【課題を解決するための手段】
【０００５】
請求項１記載の発明に係るフィルムアンテナは、
基材フィルムと、
前記基材フィルムの一方の面に予め一体的に設けられ、アルミニウムから形成されたアンテナ素子層と、
前記基材フィルムの他方の面に予め一体的に設けられた第一粘着層と、
前記第一粘着層における前記基材フィルムとは反対側の面に積層され、当該第一粘着層に対して剥離自在な第一剥離フィルムと、
前記アンテナ素子層における前記基材フィルムとは反対側の面に積層され、前記アンテナ素子層に対して剥離自在な第二粘着層と、
前記第二粘着層における前記アンテナ素子層とは反対側の面に予め一体的に設けられ、前記アンテナ素子層に対して前記第二粘着層とともに剥離自在な第二剥離フィルムとを備えることを特徴としている。
【０００６】
請求項２記載の発明は、請求項１記載のフィルムアンテナにおいて、
前記アンテナ素子層と前記第二粘着層との間にはカーボン層が介在していて、
前記第二粘着層は前記カーボン層に対して剥離自在であることを特徴としている。
【０００７】
請求項３記載の発明は、請求項１又は２記載のフィルムアンテナの製造方法において、
前記基材フィルム、前記アンテナ素子層、前記第一粘着層及び前記第一粘着層における前記基材フィルムとは反対側の面に積層され、前記第一粘着層に対して剥離自在な剥離紙からなる複合シートと、前記第二剥離フィルム及び前記第二粘着層からなる粘着シートとを、前記第二粘着層と前記アンテナ素子層とが密着するように積層する第一積層工程と、
前記第一積層工程後に、前記剥離紙を前記第一粘着層から剥離する剥離工程と、
前記剥離工程後に、前記第一粘着層に対して前記第一剥離フィルムを積層する第二積層工程とを実行することを特徴としている。
【０００８】
請求項４記載の発明は、請求項３記載のフィルムアンテナの製造方法において、
前記第一積層工程と前記剥離工程との間に、前記基材フィルム、前記アンテナ素子層、前記第一粘着層及び前記剥離紙を所定の形状にカットする第一カット工程を実行することを特徴としている。
【０００９】
請求項５記載の発明は、請求項３又は４記載のフィルムアンテナの製造方法において、
前記第二積層工程の後に、前記第一剥離フィルム及び前記粘着シートを所定の形状にカットする第二カット工程を実行することを特徴としている。
【発明の効果】
【００１０】
本発明によれば、アンテナ素子層がアルミニウムから形成されているために、銀ペーストからなるアンテナ素子層よりも安価なフィルムアンテナを提供することが可能となる。特に、アンテナ素子層をなすアルミニウムは、基材フィルムの一方の面に予め一体的に設けられているので、実用上耐えうる強度を確保することが可能となる。
【発明を実施するための最良の形態】
【００１１】
以下、本実施形態に係るフィルムアンテナについて図面を参照し説明する。図１はフィルムアンテナの外形形状を示す正面図である。図１に示すようにフィルムアンテナ１は、樹脂製の一対のフィルム２，３と、これらに挟持されたアンテナ部４とを有する。
アンテナ部４には、外部の電子機器に接続される接点部５と、接点部５から連続的に延出し電波を受信するアンテナパターン部６とが設けられている。
【００１２】
図２は図１におけるＡ−Ａ断面図である。図２に示すように、フィルムアンテナ１は、基材フィルム１０と、アンテナ素子層１１と、第一粘着層１２と、第一剥離フィルム１３と、第二粘着層１４と、第二剥離フィルム１５とを備える。
【００１３】
基材フィルム１０、第一剥離フィルム１３及び第二剥離フィルム１５は、それぞれ例えばＰＥＴ等の樹脂から形成されている。第一粘着層１２及び第二粘着層１４は周知の接着剤により形成されている。また、アンテナ素子層１１はアンテナ部４を構成する層であり、アルミニウム箔により形成されている。
【００１４】
各層の配置位置について説明すると、基材フィルム１０の一方の面には、アンテナ素子層１１が積層されている。基材フィルム１０の他方の面には、第一粘着層１２が積層されている。第一粘着層１２における基材フィルム１０とは反対側の面には、第一剥離フィルム１３が、第一粘着層１２に対して剥離自在となるように積層されている。アンテナ素子層１１における基材フィルム１０とは反対側の面には、第二粘着層１４がアンテナ素子層１１に対して剥離自在となるように積層されている。第二粘着層１４におけるアンテナ素子層１１とは反対側の面には、第二剥離フィルム１５がアンテナ素子層１１に対して第二粘着層１４とともに剥離自在となるように積層されている。このように、第一剥離フィルム１３及び第二剥離フィルム１５が最外層に位置するので、これらのフィルム１３，１５が上述のフィルム２，３をなす。
【００１５】
また、基材フィルム１０とアンテナ素子層１１とは、フィルムアンテナ１の製造前から予め一体的に設けられている。同様に、基材フィルム１０と第一粘着層１２との組合せ、第二剥離フィルム１５と第二粘着層１４との組合せも予め一体的に設けられている。
【００１６】
次に、本実施形態のフィルムアンテナ１の製造方法について図３〜図８を参照して説明する。図３〜図８は、フィルムアンテナ１の製造方法における各工程を模式的に示す断面図である。
【００１７】
まず、図３に示すように第一積層工程では複合シート２０に対して粘着シート３０を積層する。ここで、複合シート２０は、図３における上から順に、アンテナ素子層１１、基材フィルム１０、第一粘着層１２及び剥離紙２１が積層されて構成されている。剥離紙２１は第一粘着層１２における基材フィルム１０とは反対側の面に積層され、第一粘着層１２に対して剥離自在となっている。また、粘着シート３０は、図３における上から順に、第二剥離フィルム１５及び第二粘着層１４が積層されて構成されている。上述の通り、フィルムアンテナ１の製造前から、第一粘着層１２、基材フィルム１０及びアンテナ素子層１１が複合シート２０として予め一体的に設けられ、第二剥離フィルム１５及び第二粘着層１４が粘着シート３０として予め一体的に設けられている。
そして、この第一積層工程では、粘着シート３０の第二粘着層１４と、複合シート２０のアンテナ素子層１１とを密着させることで、複合シート２０と粘着シート３０とを積層させている。
【００１８】
第一積層工程の後には第一カット工程を実行する。第一カット工程では、図４に示すように第一積層工程で積層した複合シート２０及び粘着シート３０を反転し、刃型Ｃ１によって基材フィルム１０、アンテナ素子層１１、第一粘着層１２及び剥離紙２１を所定の形状にカットする。
【００１９】
第一カット工程の後には剥離工程を実行する。剥離工程では図５に示すように剥離紙２１を第一粘着層１２から剥離する。
【００２０】
剥離工程の後には第二積層工程を実行する。第二積層工程では図６に示すように第一粘着層１２に対して第一剥離フィルム１３を積層する。積層後においては図７に示すような状態になる。この際、全体をプレスして各層の密着性を高める。
【００２１】
第二積層工程の後には第二カット工程を実行する。第二カット工程では図８に示すように、刃型Ｃ２によって第一剥離フィルム１３及び粘着シート３０を所定の形状にカットする。これによりフィルムアンテナ１が完成する。
【００２２】
次に、本実施形態のフィルムアンテナ１の取り付け方法について説明する。
まず、フィルムアンテナ１から第一剥離フィルム１３を剥がす。これにより、第一粘着層１２が露出するので、この第一粘着層１２を設置対象であるガラス面に密着させる。その後、第二剥離フィルム１５側からガラス面に向けて押圧し、ガラス面に対する密着度合いを高める。そして、第二剥離フィルム１５をアンテナ素子層１１から剥がすと、第二粘着層１４も同時にアンテナ素子層１１から剥離する。これにより、アンテナ素子層１１がガラス面に転写されることになる。
【００２３】
以上のように、本実施形態によれば、アンテナ素子層１１がアルミニウムから形成されているために、銀ペーストからなるアンテナ素子層よりも安価なフィルムアンテナ１を提供することが可能となる。特に、アンテナ素子層１１をなすアルミニウムは、基材フィルム１０の一方の面に予め一体的に設けられているので、実用上耐えうる強度を確保することが可能となる。
【００２４】
なお、本発明は上記実施形態に限らず適宜変更可能である。以下の説明において、上記実施形態と同一部分については同一符号を付してその説明を省略する。
例えば、本実施形態では、アンテナ素子層１１と、第二粘着層１４とが直接積層されている場合を例示して説明したが、例えば図９に示すフィルムアンテナ１Ａのように、アンテナ素子層１１と、第二粘着層１４との間にカーボン層４０を介在させてもよい。このとき第二粘着層１４はカーボン層４０に対して剥離自在となっている。こうした場合、アンテナ素子層１１がガラス面に転写された際に、カーボン層４０がアンテナ素子層１１の表面側に位置することになる。ここで、アンテナ素子層１１をなすアルミニウム箔は銀色であり、カーボン層４０は黒色である。ガラス面にアンテナ素子層１１が転写された際にその色が銀色であるよりも黒色である方が目立ちにくくなり、見栄えをよくすることが可能となる。
【図面の簡単な説明】
【００２５】
【図１】本実施形態に係るフィルムアンテナの外形形状を示す正面図である。
【図２】図１におけるＡ−Ａ断面図である。
【図３】本実施形態に係るフィルムアンテナの製造方法の第一積層工程を示す断面図である。
【図４】本実施形態に係るフィルムアンテナの製造方法の第一カット工程を示す断面図である。
【図５】本実施形態に係るフィルムアンテナの製造方法の剥離工程を示す断面図である。
【図６】本実施形態に係るフィルムアンテナの製造方法の第二積層工程を示す断面図である。
【図７】第二積層工程後におけるフィルムアンテナの状態を示す断面図である。
【図８】本実施形態に係るフィルムアンテナの製造方法の第二カット工程を示す断面図である。
【図９】本実施形態に係るフィルムアンテナの変形例を示す断面図である。
【図１０】従来のフィルムアンテナの概略構成を示す断面図である。
【符号の説明】
【００２６】
１      フィルムアンテナ
４      アンテナ部
５      接点部
６      アンテナパターン部
１０      基材フィルム
１１      アンテナ素子層
１２      第一粘着層
１３      第一剥離フィルム
１４      第二粘着層
１５      第二剥離フィルム
２０      複合シート
２１      剥離紙
３０      粘着シート
【図１】
2010118889.tif 000003
【図２】
2010118889.tif 000004
【図３】
2010118889.tif 000005
【図４】
2010118889.tif 000006
【図５】
2010118889.tif 000007
【図６】
2010118889.tif 000008
【図７】
2010118889.tif 000009
【図８】
2010118889.tif 000010
【図９】
2010118889.tif 000011
【図１０】
2010118889.tif 000012